(57)【特許請求の範囲】
【請求項１】
ＯＬＴおよび前記ＯＬＴの下位にＰＯＮを介して接続されたＯＮＵを有するＰＯＮシステムであって、
前記ＯＮＵは、
IEEE-Draft-P802.3ah/D2.0-Clause-57に準拠したＯＡＭフレームを送受信する機能を有するＯＡＭ機能部と、
前記ＯＡＭ機能部・前記ＯＬＴ間で第１折り返し試験を行うための第１折り返し制御部と、
前記ＯＡＭ機能部より下位に配置され所定の機能を有する複数の第１機能部と、
前記複数の第１機能部・前記ＯＬＴ間で複数の第２折り返し試験を行うための複数の第２折り返し制御部と
を備え、前記第１折り返し試験および前記複数の第２折り返し試験を行う前に、前記ＯＬＴから前記ＯＮＵに対して前記第１折り返し試験および前記複数の第２折り返し試験を行う指示を一括して伝え、前記第１折り返し試験および前記複数の第２折り返し試験を行った後に、前記ＯＮＵから前記ＯＬＴに対して前記第１折り返し試験および前記複数の第２折り返し試験の結果を一括して伝え、前記第１折り返し試験および前記複数の第２折り返し試験は、前記ＯＬＴと前記ＯＮＵとの間において１往復の信号のやり取りで行われることを特徴とする、ＰＯＮシステム。
【請求項２】
ＯＬＴおよび前記ＯＬＴの下位にＰＯＮを介して接続されたＯＮＵを有するＰＯＮシステムの試験方法であって、
IEEE-Draft-P802.3ah/D2.0-Clause-57に準拠したＯＡＭフレームを送受信する機能を有するＯＡＭ機能部・前記ＯＬＴ間で第１折り返し試験を行う第１折り返し試験工程と、
前記ＯＡＭ機能部より下位に配置され所定の機能を有する複数の第１機能部・前記ＯＬＴ間で複数の第２折り返し試験を行う複数の第２折り返し試験工程と、
前記第１折り返し試験工程および前記複数の第２折り返し試験工程の前に、前記ＯＬＴから前記ＯＮＵに対して前記第１折り返し試験および前記複数の第２折り返し試験を行う指示を一括して伝える工程と、
前記第１折り返し試験工程および前記複数の第２折り返し試験工程の後に、前記ＯＮＵから前記ＯＬＴに対して前記第１折り返し試験および前記複数の第２折り返し試験の結果を一括して伝える工程と
を備え、前記第１折り返し試験および前記複数の第２折り返し試験は、前記ＯＬＴと前記ＯＮＵとの間において１往復の信号のやり取りで行われることを特徴とする、ＰＯＮシステムの試験方法。
【発明の詳細な説明】
【技術分野】
【０００１】
本発明は、ＰＯＮシステムおよびその試験方法に関し、特に、ＧＥ型ＰＯＮシステムにおいてＯＮＵの折り返し試験を詳細に行うための技術に関する。
【背景技術】
【０００２】
従来のＧＥ型ＰＯＮシステムにおけるループバック（Loopback）方式としては、IEEE-Draft-P802.3ah/D2.0-Clause-57にて勧告化されている。本勧告内にて、ループバックの手順が以下のように明確化されている。
【０００３】
まず、ＯＬＴは、ＯＮＵに対して、Loopback-Control-OAMPDUフレームを送信する。次に、ＯＮＵは、Loopback-Control-OAMPDUフレームを受信するとともに、折り返し試験フレームを折り返すために１個の折り返し点を設定する。次に、ＯＮＵは、ＯＬＴに対して、受信確認のためのInformation-OAMPDUフレームを送信する。次に、ＯＬＴは、ＯＮＵに対して、Loopback-Testフレーム（折り返し試験フレーム）を送信する。次に、ＯＬＴは、ＯＮＵにて折り返された折り返し試験フレームのＯＬＴにおける受信可否を確認する。
【０００４】
また、特許文献１には、ＡＴＭ転送方式に基づく従来のループバック方式の例が開示されている。特許文献１においては、複数台シリアルに接続された装置に対して、特定の装置から次に接続されている装置に対してループバックセルを送出する。受信した装置は送出元の装置に対してループバックセルを折り返すと同時に後段へループバックセルを送出することで、故障箇所を切り分ける。また、上記発明を実現する方法として、ループバックセルの空き領域に装置通過順序シーケンス番号を定義している。なお、ＡＴＭ転送方式に基づく従来のループバック方式の例は、特許文献２にも開示されている。
【０００５】
【特許文献１】特開平１０−２６２０５６号公報
【特許文献２】特開平１１−４２３１号公報
【発明の開示】
【発明が解決しようとする課題】
【０００６】
上記したような勧告および特許文献１〜２に示される従来のループバック方式を用いた場合には、ＯＬＴからは、ＯＮＵ内の１個の折り返し点までの正常性は確認できるが、折り返し点より下位では正常性は確認できない。すなわち、一般的なＯＮＵにおいては、IEEE-Draft-P802.3ah/D2.0-Clause-57に準拠したＯＡＭフレームを送受信する機能を有するＯＡＭ機能部が折り返し点に設定されるが、このＯＡＭ機能部より下位で故障が発生した場合には検知することができないという問題点があった。
【０００７】
本発明はこれらの問題点を解決するためになされたものであり、詳細な折り返し試験を行うことが可能なＰＯＮシステムおよびその試験方法を提供することを目的とするものである。
【課題を解決するための手段】
【０００８】
本発明に係るＰＯＮシステムは、ＯＬＴおよびＯＬＴの下位にＰＯＮを介して接続されたＯＮＵを有するＰＯＮシステムであって、ＯＮＵは、IEEE-Draft-P802.3ah/D2.0-Clause-57に準拠したＯＡＭフレームを送受信する機能を有するＯＡＭ機能部と、ＯＡＭ機能部・ＯＬＴ間で第１折り返し試験を行うための第１折り返し制御部と、ＯＡＭ機能部より下位に配置され所定の機能を有する複数の第１機能部と、複数の第１機能部・ＯＬＴ間で複数の第２折り返し試験を行うための複数の第２折り返し制御部とを備え、第１折り返し試験および複数の第２折り返し試験を行う前に、ＯＬＴからＯＮＵに対して第１折り返し試験および複数の第２折り返し試験を行う指示を一括して伝え、第１折り返し試験および複数の第２折り返し試験を行った後に、ＯＮＵからＯＬＴに対して第１折り返し試験および複数の第２折り返し試験の結果を一括して伝え、第１折り返し試験および複数の第２折り返し試験は、ＯＬＴとＯＮＵとの間において１往復の信号のやり取りで行われることを特徴とする。
【発明の効果】
【０００９】
本発明に係るＰＯＮシステムは、ＯＬＴおよびＯＬＴの下位にＰＯＮを介して接続されたＯＮＵを有するＰＯＮシステムであって、ＯＮＵは、IEEE-Draft-P802.3ah/D2.0-Clause-57に準拠したＯＡＭフレームを送受信する機能を有するＯＡＭ機能部と、ＯＡＭ機能部・ＯＬＴ間で第１折り返し試験を行うための第１折り返し制御部と、ＯＡＭ機能部より下位に配置され所定の機能を有する複数の第１機能部と、複数の第１機能部・ＯＬＴ間で複数の第２折り返し試験を行うための複数の第２折り返し制御部とを備え、第１折り返し試験および複数の第２折り返し試験を行う前に、ＯＬＴからＯＮＵに対して第１折り返し試験および複数の第２折り返し試験を行う指示を一括して伝え、第１折り返し試験および複数の第２折り返し試験を行った後に、ＯＮＵからＯＬＴに対して第１折り返し試験および複数の第２折り返し試験の結果を一括して伝え、第１折り返し試験および複数の第２折り返し試験は、ＯＬＴとＯＮＵとの間において１往復の信号のやり取りで行われることを特徴とする。従って、ＯＡＭ機能部より下位で故障が発生した場合においても検知することが可能となる。また、ＯＮＵのどの位置で故障が発生しているかを詳細に特定することが可能となるので、ユーザ宅に設置したＯＮＵに故障が発生した場合においても、現地に保守者を派遣する前に、ＯＮＵ内のどの位置で故障が発生しているかをＯＬＴが遠隔で検知しておくことができる。すなわち、故障対応を効率的に行うことが可能となる。
【発明を実施するための最良の形態】
【００１０】
本発明に係るＰＯＮシステムおよびその試験方法は、ＯＮＵ内において、折り返し試験フレームの折り返し点を、１個だけではなく複数個設定することを特徴とする。以下、本発明の各実施の形態について、詳細に説明する。
【００１１】
＜実施の形態１＞
図１は、実施の形態１に係るＧＥ（Gigabit Ethernet（登録商標））型ＰＯＮ（Passive Optical Network）システム１の構成を示す模式図である。図１に示されるように、ＰＯＮシステム１は、１個のＯＬＴ（Optical Line Terminal）１０とＯＬＴ１０に従属する複数個のＯＮＵ（Optical Network Unit）２０とを光ファイバー等からなるＰＯＮ３０を介して接続した構成からなる。ＯＬＴ１０は、通信事業者側に設置され、ＯＮＵ２０は、各ユーザ側に設置されている。
【００１２】
各ユーザ宅内において、ＯＮＵ２０は、通信端末としてのＰＣ４０に接続されている。このように構成することで、各ユーザは、ＰＣ４０を用いて、ＯＬＴ１０の上位に接続された通信網５０から、インターネット接続等のサービスを享受できる。
【００１３】
ＯＬＴ１０から下位のＯＮＵ２０へ向けた下りフレームは、ＰＯＮ３０の光分岐装置３１において分岐される。この下りフレームは、同一の内容のものが全てのＯＮＵ２０に対して送信される。各ＯＮＵ２０は、下りフレームに含まれる宛先情報を参照し、自身宛のものについてのみ受信処理を行う。
【００１４】
各ＯＮＵ２０から上位のＯＬＴ１０へ向けた上りフレームは、ＰＯＮ３０の光分岐器３１において各ＴＳ(Time Slot)へ時分割多重される。各ＴＳは、上りフレーム同士が衝突しないように、各ＯＮＵ２０へ所定のタイミングで割り当てられている。
【００１５】
図１に示されるＰＯＮシステム１においては、ＯＬＴ１０は、各ＯＮＵ２０が設置された直後の導通確認試験または不具合発生時の確認試験として、ＰＯＮ３０を介して各ＯＮＵ２０との間で折り返し試験を行う機能を具備している。
【００１６】
図２は、図１に示されるＰＯＮシステム１における折り返し試験の手順を示すチャートである。
【００１７】
まず、ＯＬＴ１０は、ＯＮＵ２０に対して、折り返し試験開始を伝えるための制御フレームとして、Loopback-Control-OAMPDUフレームを送信する。
【００１８】
次に、ＯＮＵ２０は、ＯＬＴ１０からのLoopback-Control-OAMPDUフレームを受信するとともに、折り返し試験フレームを折り返す折り返し点を設定する。
【００１９】
次に、ＯＮＵ２０は、ＯＬＴ１０に対して、受信確認のための情報フレームとして、Information-OAMPDUフレームを送信する。
【００２０】
次に、ＯＬＴ１０は、ＯＮＵ２０からのInformation-OAMPDUフレームを受信すると、折り返し試験用フレームを生成し、ＯＮＵ２０に対して送信する。
【００２１】
次に、ＯＮＵ２０は、ＯＬＴ１０からの折り返し試験フレームを受信すると、設定された折り返し点で折り返し、ＯＬＴ１０に対して送信する。
【００２２】
次に、ＯＬＴ１０は、ＯＮＵ２０から折り返された折り返し試験フレームの受信可否を確認する。これにより、ＯＬＴ１０は、ＯＬＴ１０とＯＮＵ２０の折り返し点との間のデータ疎通に関する正常性を確認する。なお、図２に示されるように、この折り返し試験フレームのやりとりは折り返し試験の種別に応じて複数回行われる。
【００２３】
次に、ＯＬＴ１０は、正常性を確認した後に、ＯＮＵ２０に対して、折り返し試験終了を伝えるための制御フレームとして、Loopback-Control-OAMPDUフレームを送信する。
【００２４】
次に、ＯＮＵ２０は、ＯＬＴ１０からのLoopback-Control-OAMPDUフレームを受信するとともに、折り返し試験フレームを折り返す設定を解除する。
【００２５】
次に、ＯＮＵ２０は、ＯＬＴ１０に対して、受信確認のための情報フレームとして、Information-OAMPDUフレームを送信する。
【００２６】
以上の手順により、ＯＬＴ１０は、ＯＮＵ２０の折り返し点との間で折り返し試験を行い正常性を確認することができる。
【００２７】
図３は、図１に示されるＯＮＵ２０の詳細な機能構成を示すブロック図である。図３に示されるように、ＯＮＵ２０は、ＰＯＮ３０に接続され光信号の送受信を行うための光送受信部２２と、ＰＣ４０に接続され物理レイヤの処理を行うための物理レイヤ処理部２６と、光送受信部２２・物理レイヤ処理部２６間に介在しＰＯＮ３０・ユーザ宅内ネットワーク間のインタフェースとして機能するＰＯＮ機能処理部２４とを備えている。
【００２８】
光送受信部２２は、波長多重／分離部２２１と電気／光変換部２２２とを有する。ＰＯＮ機能処理部２４は、RS（Reconciliation Sublayer）/PCS（Physical Coding Sublayer）/PMA（Physical Media Attachment）機能部２４１とＭＡＣ(Media Access Control)機能部２４２とMAC-CONTROL機能部２４３とＯＡＭ（Operations,Administration and Maintenance）機能部２４４と折り返し制御部２４５とMAC-Client/OAM-Client機能部２４６と折り返し制御部２４７とを有する。物理レイヤ処理部２６は、Bridge/VLAN機能部２６１と折り返し制御部２６２とＰＨＹ（PHYsical layer）機能部２６３と折り返し制御部２６４とを有する。
【００２９】
波長多重／分離部２２１は、上りの光波長と下りの光波長とを多重／分離するためのものである。電気／光変換部２２２は、ＯＬＴ１０からの光信号を電気信号へ変換するとともにＯＮＵ２０からの電気信号を光信号へ変換するためのものである。
【００３０】
RS/PCS/PMA機能部２４１は、IEEE-Draft-P802.3ah/D2.0-Clause-65に準拠したＰＯＮレイヤ終端機能を有している。ＭＡＣ機能部２４２は、データリンク層の伝送制御を行うためのものである。MAC-CONTROL機能部２４３は、IEEE-Draft-P802.3ah/D2.0-Clause-64に準拠したＯＡＭフレームの送受信機能を有している。ＯＡＭ機能部２４４は、IEEE-Draft-P802.3ah/D2.0-Clause-57に準拠したＯＡＭフレームの送受信機能を有している。折り返し制御部２４５は、後述するように、ＯＡＭ機能部２４４を折り返し点として折り返し試験を行うためのものである。MAC-Client/OAM-Client機能部２４６は、IEEE-Draft-P802.3ah/D2.0-Clause-64に準拠したＯＡＭフレームの送受信機能のうちのQueue-Report生成機能を有している。折り返し制御部２４７は、後述するように、MAC-Client/OAM-Client機能部２４６を折り返し点として折り返し試験を行うためのものである。
【００３１】
Bridge/VLAN機能部２６１は、IEEE-Draft-P802.1Qに準拠したＶＬＡＮタグの挿入および削除を実現するためのものである。折り返し制御部２６２は、後述するように、Bridge/VLAN機能部２６１を折り返し点として折り返し試験を行うためのものである。ＰＨＹ機能部２６３は、ＬＡＮケーブル経由でＰＣ４０等を接続するためのインタフェース機能を有している。折り返し制御部２６４は、後述するように、ＰＨＹ機能部２６３を折り返し点として折り返し試験を行うためのものである。
【００３２】
従来のＯＮＵでは、折り返しが折り返し制御部２４５のみで行われていた（すなわち、折り返し制御部２４７，２６２，２６４を設けていなかった）ので、折り返し制御部２４５より上位すなわち波長多重／分離部２２１とＯＡＭ機能部２４４との間で故障が発生したかどうかは検知できるが、折り返し制御部２４５より下位で故障が発生した場合には検知できない。図３に示されるように、本実施の形態に係るＯＮＵ２０は、折り返し制御部２４５より下位に折り返し制御部２４７，２６２，２６４を設けることで、折り返し制御部２４５より下位で故障が発生した場合にも検知することを可能とするものである。
【００３３】
図４は、図３に示されるＯＮＵ２０のさらに詳細な機能構成を示すブロック図である。図４に示されるように、ＰＯＮ機能処理部２４は、Control-OAMPDU検出部２４８と、Information-OAMPDU検出部２４９と、Loopback位置識別子検出部２５０とを備えている。また、折り返し制御部２４５は方路選択部２４５１，２４５２を有しており、折り返し制御部２４７は方路選択部２４７１，２４７２を有しており、折り返し制御部２６２は方路選択部２６２１，２６２２を有している。
【００３４】
以下、図４を用いて、本実施の形態に係る折り返し試験の詳細な手順を説明する。
【００３５】
まず、ＯＬＴ１０は、Loopback-Control-OAMPDUフレームに、ＯＮＵ２０内の折り返し点を示す（言い換えれば折り返し制御部２４５，２４７，２６２，２６４のどれで折り返しを行うかを示す）Loopback位置識別子を付与した上で、ＯＮＵ２０に送信する。
【００３６】
次に、ＯＮＵ２０は、Control-OAMPDU検出部２４８を用いて、ＯＬＴ１０から受信したLoopback-Control-OAMPDUフレームを検出する。そして、Loopback位置識別子検出部２５０は、Loopback-Control-OAMPDUフレームに含まれるLoopback位置識別子を参照し、折り返し制御部２４５，２４７，２６２，２６４のどれで折り返すかを決定する。例えば、MAC-Client/OAM-Client機能部２４６を折り返し点とするようにLoopback位置識別子で指定されている場合には、Loopback位置識別子検出部２５０は、折り返し制御部２４７に対して、折り返しの設定を指示する制御信号を送信する。折り返し制御部２４７は、この制御信号を受信すると、受信した折り返し試験フレームを方路選択部２４７１が折り返して方路選択部２４７２に送信するように方路選択部２４７１の設定を変更するとともに、方路選択部２４７１で折り返され送信された折り返し試験フレームを方路選択部２４７２が受信するように方路選択部２４７２の設定を変更する。このように設定を変更することにより、折り返し試験フレームを折り返し制御部２４７で折り返すことが可能となる。この設定変更の完了は、折り返し制御部２４７からInformation-OAMPDU検出部２４９へ制御信号により伝えられる。
【００３７】
次に、ＯＮＵ２０は、Information-OAMPDU検出部２４９を用いて、ＯＬＴ１０に対して、設定変更の完了を通知するための情報フレームとして、Information-OAMPDUフレームを送信する。
【００３８】
以下、図２を用いて上述したような手順を順次に行うことにより、折り返し試験が行われる。
【００３９】
このように、本実施の形態に係るＰＯＮシステム１およびその試験方法では、ＯＮＵ２０は、ＯＡＭ機能部２４４で（第１）折り返し試験を行うための（第１）折り返し制御部２４５に加えて、ＯＡＭ機能部２４４より下位に配置された第１機能部としてのMAC-Client/OAM-Client機能部２４６，Bridge/VLAN機能部２６１，ＰＨＹ機能部２６３で（第２）折り返し試験を行うために、それぞれ、（第２）折り返し制御部２４７，２６２，２６４を設けている。従って、ＯＡＭ機能部２４４より下位で故障が発生した場合においても検知することが可能となる。
【００４０】
また、ＯＮＵ２０内のどの位置で故障が発生しているかを詳細に特定することが可能となるので、ユーザ宅に設置したＯＮＵ２０に故障が発生した場合においても、現地に保守者を派遣する前に、ＯＮＵ２０内のどの位置で故障が発生しているかをＯＬＴ１０が遠隔で検知しておくことができる。すなわち、故障対応を効率的に行うことが可能となる。
【００４１】
＜実施の形態２＞
実施の形態１においては、ＯＬＴ１０は、Loopback位置識別子を付与したLoopback-Control-OAMPDUフレームをＯＮＵ２０に送信することにより、所望の折り返し点（すなわち所望の折り返し制御部）で折り返し試験を行う手法について説明した。しかし、このような手法によれば、複数個の折り返し点で折り返し試験を行う場合には、折り返し点を設定するためのLoopback-Control-OAMPDUフレームおよび折り返し試験フレームを、折り返し点の個数分、ＯＬＴ１０・ＯＮＵ２０間で送受信する必要がある。そのため、ＰＯＮ３０において、ユーザトラヒック用の帯域が圧迫されることがある。
【００４２】
図５は、実施の形態２に係るＯＮＵ２０の詳細な機能構成を示すブロック図である。図５は、図４において、折り返し制御部２４５からLoopback位置識別子検出部２５０を省くとともに折り返し試験フレーム生成部２４５３、折り返し試験フレーム選択部２４５４，２４５５、および折り返し試験フレーム検出部２４５６を加え、折り返し制御部２４５ａとしたものである。
【００４３】
以下、図５を用いて、本実施の形態に係る折り返し試験の詳細な手順を説明する。
【００４４】
まず、ＯＬＴ１０は、Loopback-Control-OAMPDUフレームに、ＯＮＵ２０内の全ての折り返し点で（言い換えれば折り返し制御部２４５，２４７，２６２，２６４で）折り返し試験を行う指示を一括して含ませ、ＯＮＵ２０に送信する。
【００４５】
次に、ＯＮＵ２０は、Control-OAMPDU検出部２４８を用いて、ＯＬＴ１０から受信したLoopback-Control-OAMPDUフレームを検出する。
【００４６】
次に、折り返し試験フレーム生成部２４５３は、Control-OAMPDU検出部２４８からの制御信号に基づき、制御部２４５ａ内の方路選択部２４５１，２４５２へ折り返し試験フレームを折り返す設定を行うように指示する制御信号を送信した後に、折り返し試験フレーム選択部２４５４へ折り返し試験フレームを送信する。折り返し試験フレーム選択部２４５４は、折り返し試験フレーム生成部２４５３からの折り返し試験フレームとＯＡＭ機能部２４４からの主信号フレームとを多重することにより多重フレームを生成し、方路選択部２４５１へ入力させる。
【００４７】
方路選択部２４５１へ入力された多重フレームは、方路選択部２４５１で折り返された後に、方路選択部２４５２を介して、折り返し試験フレーム選択部２４５５へ入力される。
【００４８】
折り返し試験フレーム選択部２４５５は、多重フレームから折り返し試験フレームと主信号フレームとを分離し、折り返し試験フレームを折り返し試験フレーム検出部２４５６へ入力させるとともに主信号フレームをＯＡＭ機能部２４４へ入力させる。折り返し試験フレーム検出部２４５６は、折り返し試験フレームの検出結果をInformation-OAMPDU検出部２４９へ伝える。これにより、ＯＡＭ機能部２４４を折り返し点とした折り返し制御部２４５ａでの折り返し試験が行われる。また、折り返し試験フレーム検出部２４５６は、折り返し制御部２４５ａでの折り返し試験が完了したことを折り返し試験フレーム生成部２４５３へ伝える。
【００４９】
次に、折り返し試験フレーム生成部２４５３は、Control-OAMPDU検出部２４８からの制御信号に基づき、制御部２４５ａ内の方路選択部２４５１，２４５２へ折り返し試験フレームを折り返す設定を解除するように指示する制御信号を送信するとともに制御部２４７内の方路選択部２４７１，２４７２へ折り返し試験フレームを折り返す設定を行うように指示する制御信号を送信した後に、折り返し試験フレーム選択部２４５４へ折り返し試験フレームを送信する。折り返し試験フレーム選択部２４５４は、折り返し試験フレーム生成部２４５３からの折り返し試験フレームとＯＡＭ機能部２４４からの主信号フレームとを多重することにより多重フレームを生成し、方路選択部２４５１へ入力させる。
【００５０】
方路選択部２４５１へ入力された多重フレームは、MAC-Client/OAM-Client機能部２４６を介して、方路選択部２４７１へ入力される。
【００５１】
方路選択部２４７１へ入力された多重フレームは、方路選択部２４７１で折り返された後に、方路選択部２４７２、MAC-Client/OAM-Client機能部２４６、および方路選択部２４５２を順に介して、折り返し試験フレーム選択部２４５５へ入力される。
【００５２】
折り返し試験フレーム選択部２４５５は、多重フレームから折り返し試験フレームと主信号フレームとを分離し、折り返し試験フレームを折り返し試験フレーム検出部２４５６へ入力させるとともに主信号フレームをＯＡＭ機能部２４４へ入力させる。折り返し試験フレーム検出部２４５６は、折り返し試験フレームの検出結果をInformation-OAMPDU検出部２４９へ伝える。これにより、MAC-Client/OAM-Client機能部２４６を折り返し点とした折り返し制御部２４７での折り返し試験が行われる。また、折り返し試験フレーム検出部２４５６は、折り返し制御部２４７での折り返し試験が完了したことを折り返し試験フレーム生成部２４５３へ伝える。
【００５３】
以下、同様の手順で、Bridge/VLAN機能部２６１を折り返し点とした折り返し制御部２６２での折り返し試験およびＰＨＹ機能部２６３を折り返し点とした折り返し制御部２６４での折り返し試験を順次に行う。全ての折り返し試験が完了すると、ＯＮＵ２０は、Information-OAMPDU検出部２４９を用いて、ＯＬＴ１０に対して、全ての折り返し点における試験結果に関する情報を一括して含ませたInformation-OAMPDUフレームを送信する。
【００５４】
図６は、図５に示されるＯＮＵ２０における折り返し試験の手順を示すチャートである。図６に示されるように、ＯＮＵ２０は、ＯＬＴ１０から受信した１ブロックのLoopback-Control-OAMPDUフレームに基づき、全ての折り返し点において折り返し試験を行い、試験結果に関する情報を１ブロックのInformation-OAMPDUフレームでＯＬＴ１０へ送信する。
【００５５】
このように、本実施の形態に係るＰＯＮシステム１の試験方法では、ＯＮＵ２０は、ＯＬＴ１０から一括して受信したLoopback-Control-OAMPDUフレームに基づき、複数個の折り返し点において折り返し試験を行い、全ての試験結果に関する情報を一括してInformation-OAMPDUフレームでＯＬＴ１０へ送信する。従って、実施の形態１の効果に加えて、折り返し試験のときにＯＬＴ１０・ＯＮＵ２０間で送受信されるデータ量を低減しユーザトラヒック用の帯域を確保することができるという効果を奏する。
【図面の簡単な説明】
【００５６】
【図１】実施の形態１に係るＰＯＮシステムの構成を示す模式図である。
【図２】実施の形態１に係るＰＯＮシステムにおける折り返し試験の手順を示すチャートである。
【図３】実施の形態１に係るＯＮＵの詳細な機能構成を示すブロック図である。
【図４】実施の形態１に係るＯＮＵの詳細な機能構成を示すブロック図である。
【図５】実施の形態２に係るＯＮＵの詳細な機能構成を示すブロック図である。
【図６】実施の形態２に係るＰＯＮシステムにおける折り返し試験の手順を示すチャートである。
【符号の説明】
【００５７】
１  ＰＯＮシステム、１０  ＯＬＴ、２０  ＯＮＵ、２２  光送受信部、２４  ＰＯＮ機能処理部、２６  物理レイヤ処理部、３０  ＰＯＮ、３１  光分岐装置、４０  ＰＣ、５０  通信網、２２１  波長多重／分離部、２２２  電気／光変換部、２４１  RS/PCS/PMA機能部、２４２  ＭＡＣ機能部、２４３  MAC-CONTROL機能部、２４４  ＯＡＭ機能部、２４５，２４７，２６２，２６４  折り返し制御部、２４６  MAC-Client/OAM-Client機能部、２４８  Control-OAMPDU検出部、２４９  Information-OAMPDU検出部、２５０  Loopback位置識別子検出部、２６１  Bridge/VLAN機能部、２６３  ＰＨＹ機能部、２４５１，２４５２，２４７１，２４７２，２６２１，２６２２  方路選択部、２４５３  折り返し試験フレーム生成部、２４５４，２４５５  折り返し試験フレーム選択部、２４５６  折り返し試験フレーム検出部。
【図１】
0004761941.tif 000002
【図２】
0004761941.tif 000003
【図３】
0004761941.tif 000004
【図４】
0004761941.tif 000005
【図５】
0004761941.tif 000006
【図６】
0004761941.tif 000007